【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
超極性電気外科用ブレードであって、
互いに垂直に整列し、それらの長さに沿って互いに離間した、上部薄型細長導電性部材および下部薄型細長導電性部材であって、前記上部および下部薄型細長導電性部材のそれぞれが、対向する平坦側部、鋭利な切断端、および反対側の非切断端を含む、上部薄型細長導電性部材および下部薄型細長導電性部材と、
前記上部および下部薄型細長導電性部材の対向する平坦側部と前記上部および下部薄型細長導電性部材の間の空間の両方を被覆して前記超極性電気外科用ブレードの対向する非導電性側部を生成する非導電性コーティングであって、前記上部および下部薄型細長導電性部材の前記切断端の少なくとも一部ならびにそれらの反対側の非切断端が露出したままである非導電性コーティングと、
前記超極性電気外科用ブレードの前記対向する非導電性側部のそれぞれに配置されたリターンコンタクト層およびアクティブコンタクト層の両方と
を備える、超極性電気外科用ブレード。
【請求項２】
前記リターンコンタクト層が前記上部および下部薄型細長導電性部材のうちの一方の前記非切断端と連通し、前記アクティブコンタクト層が前記上部および下部薄型細長導電性部材のうちの他方の前記非切断端と連通する、請求項１に記載の超極性電気外科用ブレード。
【請求項３】
前記超極性電気外科用ブレードの前記対向する非導電性側部のそれぞれにある前記リターンコンタクト層が、前記リターンコンタクト層を前記超極性電気外科用ブレードの上部または下部の上に延ばすことによって互いに接続されており、前記超極性電気外科用ブレードの前記対向する非導電性側部のそれぞれにある前記アクティブコンタクト層が、前記アクティブコンタクト層を前記超極性電気外科用ブレードの上部または下部の上に延ばすことによって互いに接続されている、請求項１に記載の超極性電気外科用ブレード。
【請求項４】
互いに垂直に整列したその中に開いた２つの開口を有する非導電性支持部材であって、前記上部および下部薄型細長導電性部材の一部がそれぞれ前記２つの開口のうちの１つ内に収容されている非導電性支持部材をさらに備える、請求項１に記載の超極性電気外科用ブレード。
【請求項５】
前記非導電性コーティングが、前記上部薄型細長導電性部材の上部の少なくとも一部および前記下部薄型細長導電性部材の下部の少なくとも一部を被覆する、請求項１に記載の超極性電気外科用ブレード。
【請求項６】
前記非導電性コーティングが、前記上部および下部薄型細長導電性部材の前記鋭利な導電性切断端の間に位置する任意の空間を充填もして、前記導電性の鋭利な切断端の間に位置する非導電性の鋭利な切断端を形成する、連続したコーティングである、請求項１に記載の超極性電気外科用ブレード。
【請求項７】
前記上部薄型細長導電性部材の上部の少なくとも一部が、前記電気外科用ブレードの上部に位置する非導電性コーティングの一部の間に露出し、前記下部薄型細長導電性部材の下部の少なくとも一部が、前記電気外科用ブレードの下部に位置する非導電性コーティングの一部の間に露出する、請求項６に記載の超極性電気外科用ブレード。
【請求項８】
前記上部および下部薄型細長導電性部材が硬質金属を含み、前記非導電性コーティングがセラミック材料を含む、請求項１に記載の超極性電気外科用ブレード。
【請求項９】
請求項１に記載の超極性電気外科用ブレードを含み、
その中に含まれる中空筒形開口およびスロットを有する非導電性管状部材であって、前記スロットが前記超極性電気外科用ブレードの上部の上に配置されている非導電性管状部材と、
前記非導電性管状部材の少なくとも一部内に収容された導電性中空筒状部材と
をさらに備える、超極性電気外科用ブレードアセンブリ。
【請求項１０】
前記上部薄型細長導電性部材の上部の少なくとも一部が、前記超極性電気外科用ブレードの上部に位置する前記非導電性コーティングの一部の間に露出し、前記非導電性管状部材内に含まれており、前記電気外科用ブレードアセンブリが、前記非導電性管状部材内に収容された前記導電性中空筒状部材から延びる導電性突出部をさらに備える、請求項９に記載の超極性電気外科用ブレードアセンブリ。
【請求項１１】
前記非導電性コーティングが、前記導電性中空筒状部材と前記上部薄型細長導電性部材の前記露出した切断端との間に位置する前記上部薄型細長導電性部材の上部を被覆し、前記超極性電気外科用ブレードアセンブリが、前記非導電性管状部材内に収容された前記導電性中空筒状部材の端部から延びる導電性突出部をさらに備える、請求項９に記載の超極性電気外科用ブレードアセンブリ。
【請求項１２】
互いに垂直に整列したその中に開いた２つの開口を有する非導電性支持部材であって、前記上部および下部薄型細長導電性部材の一部がそれぞれ前記２つの開口のうちの１つ内に収容されている非導電性支持部材をさらに備える、請求項９に記載の超極性電気外科用ブレードアセンブリ。
【請求項１３】
前記非導電性コーティングが、前記上部および下部薄型細長導電性部材の前記鋭利な導電性切断端の間に位置する任意の空間を充填もして、前記導電性の鋭利な切断端の間に位置する非導電性の鋭利な切断端を形成する、連続したコーティングである、請求項９に記載の超極性電気外科用ブレードアセンブリ。
【請求項１４】
前記リターンコンタクト層が前記上部および下部薄型細長導電性部材のうちの一方の前記非切断端と連通し、前記アクティブコンタクト層が前記上部および下部薄型細長導電性部材のうちの他方の前記非切断端と連通する、請求項９に記載の超極性電気外科用ブレードアセンブリ。
【請求項１５】
前記超極性電気外科用ブレードの前記対向する非導電性側部のそれぞれにある前記リターンコンタクト層が、前記リターンコンタクト層を前記超極性電気外科用ブレードの上部または下部の上に延ばすことによって互いに接続されており、前記超極性電気外科用ブレードの前記対向する非導電性側部のそれぞれにある前記アクティブコンタクト層が、前記アクティブコンタクト層を前記超極性電気外科用ブレードの上部または下部の上に延ばすことによって互いに接続されている、請求項９に記載の超極性電気外科用ブレードアセンブリ。
【請求項１６】
前記上部および下部薄型細長導電性部材ならびに前記導電性中空筒状部材が硬質金属を含む、請求項９に記載の超極性電気外科用ブレードアセンブリ。
【請求項１７】
前記非導電性コーティングおよび前記非導電性管状部材がセラミック材料を含む、請求項９に記載の超極性電気外科用ブレードアセンブリ。
【手続補正２】
【補正対象書類名】明細書
【補正対象項目名】０００２
【補正方法】変更
【補正の内容】
【０００２】
本発明は一般に、超極性電気外科用ブレード、ならびに切断および凝固のために単極エネルギを双極モードで用いる超極性電気外科用ブレードアセンブリを対象とする。超極性電気外科用ブレードは、仮出願第６２／４６７，７３９号および第６２／５７６，２１３号ならびにそれらの関連特許出願第１５／９１３，５６９号に開示されているもの［互いに垂直に整列し、それらの長さに沿って互いに離間した、上部および下部薄型細長導電性部材であって、細長導電性部材（そのうちの一方がアクティブ電極として機能し、他方がリターン電極として機能する）のそれぞれが、対向する平坦側部、鋭利な切断端、および反対側の非切断端を含む、上部および下部薄型細長導電性部材と、上部および下部薄型細長導電性部材の対向する平坦側部とそれらの間の空間の両方を被覆する非導電性コーティングであって、上部および下部細長導電性部材の切断端の少なくとも一部ならびにそれらの反対側の非切断端が露出したままである非導電性コーティングとを含む］と同じであるが、上部および下部薄型細長導電性部材を被覆する非導電性コーティングの各側部にあるアクティブ導電層およびリターン導電層をもさらに含む。非導電性コーティングの各側部にあるリターン導電層は、超極性電気外科用ブレードの非導電性上部または下部の上を延びるリターン導電層によって結合され得て、それによって超極性電気外科用ブレードの一方の非導電性コーティング側部から超極性電気外科用ブレードの他方の非導電性コーティング側部に延びる連続したリターン導電層を提供する。同様に、非導電性コーティングの各側部にあるアクティブ導電層は、超極性電気外科用ブレードの非導電性上部または下部の上を延びるアクティブ導電層によって結合され得て、それによって超極性電気外科用ブレードの一方の非導電性コーティング側部から超極性電気外科用ブレードの他方の非導電性コーティング側部に延びる連続したアクティブ導電層を提供する。超極性電気外科用ブレードは、互いに垂直に整列したその中に開いた２つの開口を有する非導電性支持部材／ソケットであって、上部および下部薄型細長導電性部材の、それらの非切断端の近傍に位置する一部が、それぞれ支持部材／ソケットの２つの開口のうちの１つ内に収容されている非導電性支持部材／ソケットをさらに含んでもよく、それにより、本発明の超極性電気外科用ブレードが電気外科用ペンシル内に収まり保持されることができる。本発明の超極性電気外科用ブレードは、ＲＦエネルギを用いずにブレードの鋭利な導電性切断端で組織を切断すること、および鋭利な導電性切断端の間に位置する鋭利な非導電性切断端／縁部で組織を切断することが可能である。加えて、本発明の超極性電気外科用ブレードは、超
極性電気外科用ブレードに低電力を供給することによって組織を凝固するおよび／または組織の切断を強化すること、ならびに超極性電気外科用ブレードに低電力を印加することによって組織を凝固しながら超極性電気外科用ブレードの鋭利な切断端で組織を切断することによって組織を同時に切断および凝固することが可能である。
【手続補正３】
【補正対象書類名】明細書
【補正対象項目名】００１６
【補正方法】変更
【補正の内容】
【００１６】
上部および下部薄型細長導電性部材（ならびに上部および下部薄型細長導電性部材が形成され得る単一の薄い導電性部材）は、たとえばステンレス鋼、チタン、および／またはタングステンなどの硬質金属を含んでもよい。本発明の超極性電気外科用ブレードの非導電性コーティングおよび非導電性支持部材は、セラミック材料からなってもよい。リターンおよびアクティブコンタクト層は導電層であり、ステンレス鋼、銅、および／またはタングステンを含んでもよい。
【手続補正４】
【補正対象書類名】明細書
【補正対象項目名】００２３
【補正方法】変更
【補正の内容】
【００２３】
【図１】図１は、本発明の超極性電気外科用ブレードを製造するために使用される、上部および下部薄型細長導電性部材を有する薄い導電性部材の例示的な実施形態の側面図である。
【図２】図２は、本発明の超極性電気外科用ブレードを製造するために使用される、上部および下部薄型細長導電性部材を有する薄い導電性部材の別の例示的な実施形態の側面図である。
【図３】図３は、本発明の超極性電気外科用ブレードが超極性電気外科用ブレードの製造プロセスの途中段階でどのように見えるかを表し、上部および下部細長導電性部材の切断端および結合された非切断端を除いて非導電性コーティングで被覆された図１の薄い導電性部材の例示的な実施形態を示し、非導電性コーティングが薄い陰影のハッシュマークおよび／または不連続ドットからなるハッシュマークで表してある。
【図４】図４は、本発明の超極性電気外科用ブレードの上部および下部細長導電性部材の接続されていない非切断端の一部を保持し、それによって電気外科用ペンシルへの本発明の超極性電気外科用ブレードの接続を容易にする支持部材／ソケット／コネクタ部材の正面端面図である。
【図５】図５は、図３に示す本発明の超極性電気外科用ブレードの未完成の途中段階のブレードの上面図であり、薄い導電性部材が破線で示してある。
【図６】図６は、図３に示す本発明の超極性電気外科用ブレードの未完成の途中段階のブレードの下面図であり、薄い導電性部材が破線で示してある。
【図７】図７は、図３に示す超極性電気外科用ブレードの未完成の途中段階のブレードを示す外観側面図であり、上部および下部細長導電性部材の非切断端の結合された部分が除去され、非導電性コーティングによって被覆された上部および下部細長導電性部材が破線で示してある。
【図８】図８は、図７に示す本発明の超極性電気外科用ブレードの未完成の途中段階のブレードの上面図であり、非導電性コーティングによって被覆された上部細長導電性部材が破線で示してある。
【図９】図９は、図７に示す本発明の超極性電気外科用ブレードの未完成の途中段階のブレードの下面図であり、非導電性コーティングによって被覆された下部細長導電性部材が破線で示してある。
【図１０】図１０は、本発明の超極性電気外科用ブレードが電気外科用ペンシルに接続され、そこから接続解除または取り外されることができるように、超極性電気外科用ブレードの上部および下部細長導電性部材の接続されていない非切断端が設置される、支持部材／ソケット／コネクタ部材の例示的な実施形態の正面端面図である。
【図１１】図１１は、支持部材／コネクタ部材の開口内に保持された本発明の超極性電気外科用ブレードの導電性の接続されていない非切断端を示す、図１０に示す支持部材／ソケット／コネクタ部材の端面図である。
【図１２】図１２は、鋭利な切断先端を生成するように両側が傾斜した鋭利な切断端を示す、本発明の超極性電気外科用ブレードの別の未完成の途中段階のブレード実施形態の部分上面図である。
【図１３】図１３は、図３および図５〜図９に示す未完成の途中段階のブレード実施形態から製造された本発明の超極性電気外科用ブレードの例示的な実施形態を示す、外観側面図である。
【図１４】図１４は、図３および図５〜図９に示す未完成の途中段階のブレード実施形態から製造された本発明の超極性電気外科用ブレードの例示的な実施形態を示す、対向する外観側面図である。
【図１５】図１５は、図１３に示す本発明の超極性電気外科用ブレードの例示的な実施形態の上面図である。
【図１６】図１６は、図１３に示す本発明の超極性電気外科用ブレードの例示的な実施形態の下面図である。
【図１７】図１７は、図１３〜図１６に示す本発明の超極性電気外科用ブレードの例示的な実施形態の部分透視図である。
【図１８】図１８は、本発明の超極性電気外科用ブレードの形状をさらに明らかにする、図１３〜図１６に示す本発明の超極性電気外科用ブレードの例示的な実施形態の透視側面図である。
【図１９】図１９は、本発明の超極性電気外科用ブレードの形状をさらに明らかにする、図１３〜図１６に示す本発明の超極性電気外科用ブレードの例示的な実施形態の対向する透視側面図である。
【図２０】図２０は、非伸縮電気外科用ペンシルに使用されるときに本発明の超極性電気外科用ブレードの一部を備える例示的な非導電性支持部材／ソケット／コネクタ部材の図を示す。
【図２１】図２１は、非伸縮電気外科用ペンシルに使用されるときに本発明の超極性電気外科用ブレードの一部を備える例示的な非導電性支持部材／ソケット／コネクタ部材の異なる図を示す。
【図２２】図２２は、伸縮電気外科用ペンシルに使用されるときに本発明の超極性電気外科用ブレードの一部を備える例示的な非導電性支持部材／ソケット／コネクタ部材の図を示す。
【図２３】図２３は、伸縮電気外科用ペンシルに使用されるときに本発明の超極性電気外科用ブレードの一部を備える例示的な非導電性支持部材／ソケット／コネクタ部材の異なる図を示す。
【図２４】図２４は、アルゴンプラズマアシスト凝固をもたらすためのアルゴンビーム機能を有する本発明の超極性電気外科用ブレードアセンブリの例示的な実施形態の部分透視図である。
【図２５】図２５は、アルゴンプラズマアシスト凝固をもたらすためのアルゴンビーム機能を有する本発明の超極性電気外科用ブレードアセンブリの別の例示的な実施形態の側面透視図であり、リターン電極が超極性ブレードの下部の一部に沿って延びる。
【図２６】図２６は、アルゴンプラズマ凝固とアルゴンプラズマアシスト凝固の両方をもたらすことが可能なアルゴンビーム機能を有する本発明の超極性電気外科用ブレードアセンブリのさらに別の例示的な実施形態の側面透視図である。
【手続補正５】
【補正対象書類名】明細書
【補正対象項目名】００３４
【補正方法】変更
【補正の内容】
【００３４】
図１０は、本発明の超極性電気外科用ブレードが容易に電気外科用ペンシルに接続され、そこから接続解除または取り外されることができるように、超極性電気外科用ブレードの上部および下部細長導電性部材１２，１４の接続されていない非切断端２６，２８が設置される、支持部材／ソケット／コネクタ部材６２の例示的な実施形態の正面端面図である。支持部材／ソケット／コネクタ部材６２は、２つの垂直に整列した開口６４を含み、それにより、導電性非切断端２６，２８をそれぞれそれらの中に保持することができる。図１１には、支持部材／ソケット／コネクタ部材６２の開口６４内に保持された本発明の超極性電気外科用ブレードの導電性の接続されていない非切断端２６，２８を示す、図１０に示す支持部材／ソケット／コネクタ部材６２の端面図が示してある。
【手続補正６】
【補正対象書類名】明細書
【補正対象項目名】００３７
【補正方法】変更
【補正の内容】
【００３７】
図１３に示すように、超極性電気外科用ブレード８０の非導電性側部８２に位置するリターン導電層８４の一方の端部は、アクティブ電極として機能する薄型細長導電性部材の切断端２２の近傍に位置する。リターン導電層８４は、ブレード８０の非導電性側部８２を斜めに横切って延び、リターン導電層８４の他方の端部が、リターン電極として機能する薄型細長導電性部材の非切断端と連通する（２８参照）。ブレード８０の非導電性側部８２に位置するアクティブ導電層８６は、リターン導電層８４の下方にそれと垂直に整列して配置されており、アクティブ導電層８６の一方の端部が、リターン電極として機能する薄型細長導電性部材の切断端２４の近傍に位置する。アクティブ導電層８６の他方の端部は、ブレード８０の中間部近傍のブレード８０の下部の近傍で終わる。図１４に示すように、ブレード８０の反対側の非導電性側部８２に位置するリターンおよびアクティブ導電層８４，８６は、図１３で有するのとは正反対のリターンおよびアクティブ導電層配置を備える。図１３に図示しない反対側の非導電性側部８２にあるアクティブ導電層８６の経路／配置が破線で示してあり、図１４に図示しない反対側の非導電性側部８２にあるリターン導電層８４の経路／配置が破線で示してある。
【手続補正７】
【補正対象書類名】明細書
【補正対象項目名】００３９
【補正方法】変更
【補正の内容】
【００３９】
図１７は、図１３〜図１６に示す本発明の超極性電気外科用ブレード８０の例示的な実施形態の部分透視図である。図１７は、アクティブおよびリターン電極としてそれぞれ機能する鋭利な導電性切断端２２，２４、ならびに鋭利な導電性切断端２２，２４の間に位置する非導電性コーティング６０からなる鋭利な非導電性切断端７０を明確に示す。図１
７はまた、超極性電気外科用ブレード８０の上部に位置する非導電性コーティング６０の一部の間に露出し、鋭利な切断端２２と連通する、上部細長導電性部材１２の上部６６の一部をも明確に示す。リターンおよびアクティブ導電層８４，８６の両方が、超極性電気外科用ブレードの各対向する非導電性側部８２に位置する。
【手続補正８】
【補正対象書類名】明細書
【補正対象項目名】００４２
【補正方法】変更
【補正の内容】
【００４２】
図２４には、アルゴンプラズマアシスト凝固をもたらすためのアルゴンビーム機能を有する本発明の超極性電気外科用ブレードアセンブリ１００の例示的な実施形態の部分透視図が示してある。超極性電気外科用ブレードアセンブリ１００は、上述の超極性電気外科用ブレード８０を含み、その中に含まれる中空筒形開口１２２およびスロット１２４を有する非導電性管状部材１２０であって、スロットが超極性電気外科用ブレード８０の上部の上に配置されている非導電性管状部材１２０をさらに含む。超極性電気外科用ブレードアセンブリ１００は、非導電性管状部材１２０の少なくとも一部内に収容された導電性中空筒状部材１３０をさらに含む。導電性中空筒状部材１３０はまた、導電性突出部１３２を含んでもよい。鋭利な切断縁部（鋭利な非導電性切断端７０で隔てられた導電性切断端２２，２４を備える）または鋭利な切断縁部の一部が切断用のＲＦエネルギなしで使用できるとともに、アルゴンガスが、非導電性管状部材１２０内に収容された導電性中空筒状部材１３０を通して、導電性中空筒状部材１３０が作動している間に導入され、導電性突出部１３２が組織のアルゴンプラズマ凝固用のイオン化アルゴンガスを方向付けることができる。あるいは、超極性電気外科用ブレード８０に低電力を印加して、（アクティブおよびリターン電極として機能する導電性切断端２２，２４またはリターンおよびアクティブ導電層８４，８６を使用して）組織を凝固し、または（アクティブおよびリターン電極として機能する導電性切断端２２，２４を使用して）組織の切断を強化し得るとともに、アルゴンガスが、非導電性管状部材１２０内に収容された導電性中空筒状部材１３０を通して、導電性中空筒状部材１３０が作動している間に導入され、導電性突出部１３２が組織のアルゴンプラズマ凝固用のイオン化アルゴンガスを方向付けることができる。
【手続補正９】
【補正対象書類名】明細書
【補正対象項目名】００４３
【補正方法】変更
【補正の内容】
【００４３】
図２５は、アルゴンプラズマアシスト凝固をもたらすためのアルゴンビーム機能を有する本発明の超極性電気外科用ブレードアセンブリ２００の別の例示的な実施形態の側面透視図であり、リターン電極が超極性電気外科用ブレード８０の下部の一部に沿って延びる。超極性電気外科用ブレードアセンブリ２００は、上述の超極性電気外科用ブレード８０を含み、その中に含まれる中空筒形開口２２２およびスロット２２４を有する非導電性管状部材２２０であって、スロットが超極性電気外科用ブレード８０の上部の上に配置されている非導電性管状部材２２０をさらに含む。超極性電気外科用ブレードアセンブリ２００は、非導電性管状部材２２０の少なくとも一部内に収容された導電性中空筒状部材２３０をさらに含む。導電性中空筒状部材２３０はまた、導電性突出部２３２を含んでもよい。鋭利な切断縁部（鋭利な非導電性切断端７０で隔てられた導電性切断端２２，２４を備える）または鋭利な切断縁部の一部が切断用のＲＦエネルギなしで使用できるとともに、アルゴンガスが、非導電性管状部材２２０内に収容された導電性中空筒状部材２３０を通
して、導電性中空筒状部材２３０が作動している間に導入され、導電性突出部２３２が組織のアルゴンプラズマ凝固用のイオン化アルゴンガスを方向付けることができる。あるいは、超極性電気外科用ブレード８０に低電力を印加して、（アクティブおよびリターン電極として機能する導電性切断端２２，２４を使用して、またはリターンおよびアクティブ導電層８４，８６を使用して）組織を凝固し、または（アクティブおよびリターン電極として機能する導電性切断端２２，２４を使用して）組織の切断を強化し得るとともに、アルゴンガスが、非導電性管状部材２２０内に収容された導電性中空筒状部材２３０を通して、導電性中空筒状部材２３０が作動している間に導入され、導電性突出部２３２が組織のアルゴンプラズマ凝固用のイオン化アルゴンガスを方向付けることができ、それによってアルゴンプラズマアシスト切断および／または凝固を利用する。
【手続補正１０】
【補正対象書類名】明細書
【補正対象項目名】００４４
【補正方法】変更
【補正の内容】
【００４４】
図２６は、アルゴンプラズマ凝固とアルゴンプラズマアシスト凝固の両方をもたらすことが可能なアルゴンビーム機能を有する本発明の超極性電気外科用ブレードアセンブリ３００のさらに別の例示的な実施形態の側面透視図である。超極性電気外科用ブレードアセンブリ３００は、上述の超極性電気外科用ブレード８０を含み、その中に含まれる中空筒形開口３２２およびスロット３２４を有する非導電性管状部材３２０であって、スロットが超極性電気外科用ブレード８０の上部の上に配置されている非導電性管状部材３２０をさらに含む。超極性電気外科用ブレードアセンブリ３００は、非導電性管状部材３２０の少なくとも一部内に収容された導電性中空筒状部材３３０をさらに含む。導電性中空筒状部材３３０はまた、導電性突出部３３２を含んでもよい。超極性電気外科用ブレードアセンブリ３００のこの実施形態では、超極性電気外科用ブレード８０のリターン電極として機能する導電性切断端２２の露出部分が、それを通してアルゴンガスが導入される導電性中空筒状部材３３０および導電性中空筒状部材３３０の端部から延びる導電性突出部３３２と一直線になるように非導電性コーティング６０からなる電気外科用ブレード８０の上部の近傍に配置されており、それにより、完全な回路が形成されてアルゴンプラズマ凝固用のアルゴンガスをイオン化する。本発明の超極性電気外科用ブレードアセンブリ３００はまた、ＲＦエネルギを用いることなく、またアルゴンプラズマを用いることなく、超極性電気外科用ブレード８０の鋭利な切断縁部（鋭利な非導電性切断端７０で隔てられた導電性切断端２２，２４を備える）のみを使用して患者の組織を切断することも可能である。本発明の超極性電気外科用ブレードアセンブリ３００はまた、超極性電気外科用ブレード８０のアクティブ電極として機能する導電性切断端２４の露出部分にＲＦエネルギを供給することによっても、超極性電気外科用ブレード８０の鋭利な導電性切断端２２，２４を使用する患者の組織の切断を強化することもできる。その上、鋭利な切断縁部およびアルゴンビーム機能を有する本発明の超極性電気外科用ブレードアセンブリ３００は、使用者または外科医が、アルゴンプラズマアシスト切断および凝固を行うことにより、切断モードと凝固モードとを切り替える必要なく切断および凝固を同時に行うことを可能とする。たとえば、超極性電気外科用ブレード８０の鋭利な切断縁部が切断用のＲＦエネルギなしで使用できるとともに、それを通してアルゴンガスが導入される、非導電性管状部材３２０内に収容された導電性中空筒状部材３３０が、作動され、導電性突出部３３２を介して方向付けられて、組織のアルゴンプラズマ凝固用のイオン化アルゴンガスを与える。別の例では、超極性電気外科用ブレード８０に低電力を印加して、（リターンおよびアクティブ電極として機能する導電性切断端２２，２４を使用して、またはリターンおよびアクティブ導電層８４，８６を使用して）組織を凝固し、または（リターンおよびアクティブ電極として機能する導電性切断端２２，２４を使用して）組織の切断を強化し得るととも
に、それを通してアルゴンガスが導入される、非導電性管状部材３２０内に収容された導電性中空筒状部材３３０が、作動され、導電性突出部３３２を介して方向付けられて、組織のアルゴンプラズマ凝固用のイオン化アルゴンガスを与える。
【手続補正１１】
【補正対象書類名】図面
【補正対象項目名】全図
【補正方法】変更
【補正の内容】
【図１】
2020509885.tif 000001
【図２】
2020509885.tif 000002
【図３】
2020509885.tif 000003
【図４】
2020509885.tif 000004
【図５】
2020509885.tif 000005
【図６】
2020509885.tif 000006
【図７】
2020509885.tif 000007
【図８】
2020509885.tif 000008
【図９】
2020509885.tif 000009
【図１０】
2020509885.tif 000010
【図１１】
2020509885.tif 000011
【図１２】
2020509885.tif 000012
【図１３】
2020509885.tif 000013
【図１４】
2020509885.tif 000014
【図１５】
2020509885.tif 000015
【図１６】
2020509885.tif 000016
【図１７】
2020509885.tif 000017
【図１８】
2020509885.tif 000018
【図１９】
2020509885.tif 000019
【図２０】
2020509885.tif 000020
【図２１】
2020509885.tif 000021
【図２２】
2020509885.tif 000022
【図２３】
2020509885.tif 000023
【図２４】
2020509885.tif 000024
【図２５】
2020509885.tif 000025
【図２６】
2020509885.tif 000026